【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
回転シャフトを含むハウジングに取り付けられる分割メカニカルシールであって、
前記ハウジングに取り付けられると共にチャンバを形成するよう構成されたグランド組立品と、
前記グランド組立品と協力密封関係となるように前記チャンバ内に配置され且つ位置決めされるホルダ組立品であって、空間を画定し、前記シャフトと共に回転可能であり、内側表面及び対向する外側表面を備え、前記ホルダ組立品の前記内側表面が、第1の半径方向最外部で半径方向内側に延伸する階段状壁表面に移行する第1の半径方向最外部で軸方向に延伸する内側表面を含む、ホルダ組立品と、
前記ホルダ組立品によって画定された前記空間内に収容されるようサイズ決めされ且つ構成された回転シールリングであって、外側表面を備えると共に二次元的な密封表面及び対向する底部表面をさらに含む回転シールリングと、
前記ホルダ組立品の前記第1の半径方向最外部で軸方向に延伸する内側表面に形成されると共に、密封要素の一部を少なくとも部分的に収容するためのホルダ移動止め溝を形成する移動止め溝であって、前記移動止め溝は、前記軸方向に延伸する内側表面と前記第1の半径方向最外部で半径方向内側に延伸する階段状壁表面とから分離され且つ別個であり、前記ホルダ移動止め溝は、前記壁表面と前記第1の半径方向最外部で軸方向に延伸する内側表面の上部との間に形成される、移動止め溝と、
前記回転シールリングの前記外側表面に形成された移動止め溝であって、前記密封要素の別の一部を少なくとも部分的に収容するためのシールリング移動止め溝を形成する、移動止め溝とを含み、
前記ホルダ移動止め溝及び前記シールリング移動止め溝は、組み合わせると、前記密封要素を収容し且つ保持するよう構成されており、前記密封要素が前記ホルダ移動止め溝と前記シールリング移動止め溝との両方に配置される際には、前記回転シールリングが、前記第1の半径方向最外部で軸方向に延伸する内側表面と第1の半径方向最外部で半径方向内側に延伸する階段状壁表面とから離間するように、前記ホルダ組立品及び前記回転シールリングが互いに対して位置決めされる、分割メカニカルシール。
【請求項２】
前記回転シールリングの前記外側表面は、第1の半径方向内側に傾斜した外側表面部と、第2の比較的平坦な軸方向に延伸した外側表面部とを含み、前記シールリング移動止め溝は、前記第2の比較的平坦な軸方向に延伸した外側表面部に形成されている、請求項1に記載の分割メカニカルシール。
【請求項３】
前記ホルダ組立品は、
前記第1の軸方向に延伸する内側表面から半径方向内側に配置された第2の軸方向延伸表面であって、前記第1の軸方向に延伸する内側表面と組み合わせて前記第1の階段状壁表面を形成する第2の軸方向延伸表面と、
前記第2の軸方向延伸表面と組み合わせて第2の半径方向最内側の階段状壁表面を形成する第3の最内部軸方向延伸表面とをさらに含み、前記第2の半径方向最内側の階段状壁表面は、前記第1の半径方向内側に延伸する階段状壁表面から軸方向に変位しており、
前記密封要素が前記ホルダ移動止め溝と前記シールリング移動止め溝とに配置される際には、前記回転シールリングの前記底部表面は前記第2の半径方向最内側の階段状壁表面から離間される、請求項1に記載の分割メカニカルシール。
【請求項４】
前記回転シールリングは、
少なくとも1つの非平坦で軸方向に延伸する端面を備えた第1シールリング区分と、
少なくとも1つの非平坦で軸方向に延伸する端面を備えた第2シールリング区分とを含み、
前記第1シールリング区分の前記非平坦で軸方向に延伸する端面は、組み立てられると、前記第2シールリング区分の前記非平坦で軸方向に延伸する端面に対面する関係で配置され、
前記非平坦端面は、互いに対面すると補完的形状を備える、請求項1に記載の分割メカニカルシール。
【請求項５】
前記第1シールリング区分は、第1及び第の2非平坦で軸方向に延伸する端面を備え、前記第1非平坦端面は、前記第2非平坦端面の形状とは異なる形状を備えている、請求項4に記載の分割メカニカルシール。
【請求項６】
前記第1及び第2非平坦端面の前記形状は互いに補完的である、請求項5に記載の分割メカニカルシール。
【請求項７】
分割メカニカルシールであって、
内側表面と、対向する外側表面と、最底部表面とを備えるホルダ組立品と、
前記ホルダ組立品内に収容されるようサイズ決めされ且つ構成された回転シールリングであって、外側表面を備えた回転シールリングと、
前記ホルダ組立品の前記内側表面に形成された第1移動止め溝と、
前記回転シールリングの前記外側表面に形成された第2移動止め溝とを含み、
密封要素が前記第1移動止め溝と前記第2移動止め溝との両方に配置される際には、前記回転シールリングが、前記ホルダ組立品の前記内側表面の前記最底部表面から離間するように、前記ホルダ組立品及び前記回転シールリングが互いに対して位置決めされる、分割メカニカルシール。
【請求項８】
分割メカニカルシールのホルダ組立品内に回転シールリングを位置決めするための方法であって、
前記回転シールリングの外側表面にシールリング移動止め溝を形成する段階と、
前記ホルダ組立品の内側表面にホルダ移動止め溝を形成する段階であって、前記内側表面が最底部表面を含むホルダ移動止め溝を形成する段階と、
前記回転シールリングの周りに配置するのに適した密封要素を用意する段階であって、組み立てられると、前記密封要素の少なくとも一部が前記シールリング移動止め溝内に収容され、前記密封要素の一部が前記ホルダ移動止め溝内に収容され、よって前記回転シールリングを前記ホルダ組立品内に配置する、提供する段階と、
前記密封要素が前記ホルダ移動止め溝と前記シールリング移動止め溝との両方に配置される際には、前記回転シールリングが前記最底部表面から離間するように、前記ホルダ組立品及び前記回転シールリングを互いに対して位置決めする段階とを含む、方法。
【請求項９】
回転シャフトを含むハウジングに取り付けられる分割メカニカルシールであって、
前記ハウジングに取り付けられると共にチャンバを形成するよう構成されたグランド組立品と、
前記グランド組立品と協力密封関係となるように前記チャンバ内に配置され且つ位置決めされるホルダ組立品であって、空間を画定し、前記シャフトと共に回転可能であり、内側表面及び対向する外側表面を備えたホルダ組立品と、
シールリングであって、
少なくとも1つの非平坦で軸方向に延伸する端面を備えた第1シールリング区分と、
少なくとも1つの非平坦で軸方向に延伸する端面を備えた第2シールリング区分とを備えたシールリングとを含み、
前記第1シールリング区分の前記非平坦で軸方向に延伸する端面は、組み立てられると、前記第2シールリング区分の前記非平坦で軸方向に延伸する端面に対面する関係で配置され、
前記非平坦端面は、互いに対面すると補完的形状を備え、
第1の非平坦で軸方向に延伸する端面は、レーザーエッチング技法及びワイヤ放電加工(EDM)技法のいずれかにより形成される、分割メカニカルシール。
【請求項１０】
前記シールリングは回転シールリングである、請求項9に記載の分割メカニカルシール。
【請求項１１】
前記シールリングは固定シールリングである、請求項9に記載の分割メカニカルシール。
【請求項１２】
前記第1又は第2シールリング区分の前記非平坦で軸方向に延伸する端面は、V字形状、湾曲形状、非線形形状、傾斜形状、又は下降形状を備える、請求項9に記載の分割メカニカルシール。
【請求項１３】
前記第1シールリング区分は、第1及び第2の非平坦で軸方向に延伸する端面を備え、前記第1非平坦端面は、前記第2非平坦端面の形状とは異なる形状を備えている、請求項9に記載の分割メカニカルシール。
【請求項１４】
前記第1及び第2非平坦端面の前記形状は互いに補完的である、請求項13に記載のシールリング。